(57)【特許請求の範囲】
【請求項１】
インクジェット記録装置の液体流路に充填されるインクジェット記録装置用充填液であって、
アルキルエーテル系界面活性剤と、親水性ポリマーとを含み、
前記親水性ポリマーは、酸価が１００ｍｇＫＯＨ／ｇ〜２５０ｍｇＫＯＨ／ｇであり、
前記充填液全量における前記アルキルエーテル系界面活性剤の配合量は、０．５重量％以上であることを特徴とするインクジェット記録装置用充填液。
【請求項２】
前記充填液全量における前記アルキルエーテル系界面活性剤の配合量は、０．８重量％以上である請求項１記載のインクジェット記録装置用充填液。
【請求項３】
インクジェット記録装置の液体流路に充填されるインクジェット記録装置用充填液であって、
アルキルエーテル系界面活性剤と、親水性ポリマーとを含み、
前記親水性ポリマーは、酸価が１００ｍｇＫＯＨ／ｇ〜２５０ｍｇＫＯＨ／ｇであり、
前記充填液全量における前記親水性ポリマーの配合量は、０．１５重量％以上であることを特徴とするインクジェット記録装置用充填液。
【請求項４】
前記充填液全量における前記親水性ポリマーの配合量は、０．２重量％以上である請求項３記載のインクジェット記録装置用充填液。
【請求項５】
さらに、着色剤を含み、
前記充填液全量における前記着色剤の配合量は、０．０５重量％以下である請求項１から４のいずれか一項に記載のインクジェット記録装置用充填液。
【請求項６】
前記着色剤は、親水基１個当たりの分子量が３００〜４５０の染料である請求項５記載のインクジェット記録装置用充填液。
【請求項７】
インクジェット記録用インクと、インクジェット記録装置用充填液とを含むインクジェット記録用インクセットであって、
前記インクは、着色剤と、疎水性ポリマーとを含み、
前記充填液は、請求項１〜６のいずれか一項に記載のインクジェット記録装置用充填液であることを特徴とするインクジェット記録用インクセット。
【請求項８】
前記インクに含まれる着色剤は、顔料である請求項７記載のインクジェット記録用インクセット。
【請求項９】
液体収容部と、液体吐出ヘッドと、前記液体収容部と前記液体吐出ヘッドとの間に設けられた液体流路と、を含むインクジェット記録装置であって、
前記液体流路内に、請求項１〜６のいずれか一項に記載のインクジェット記録装置用充填液を含む液体組成物が充填されていることを特徴とするインクジェット記録装置。
【請求項１０】
前記液体組成物は、さらに、疎水性ポリマーを含み、
前記液体組成物全量に占める前記疎水性ポリマーの重量（Ｏ）と、前記親水性ポリマーの重量（Ｗ）の比が、Ｏ：Ｗ＝１：０．０５〜３６である請求項９記載のインクジェット記録装置。
【請求項１１】
液体収容部と、液体吐出ヘッドと、前記液体収容部と前記液体吐出ヘッドとの間に設けられた液体流路と、を含むインクジェット記録装置の保存方法であって、
請求項１〜６のいずれか一項に記載のインクジェット記録装置用充填液を、前記液体流路に導入し、前記液体流路内の液体の一部又は全部を置換することを特徴とするインクジェット記録装置の保存方法。
【発明の詳細な説明】
【技術分野】
【０００１】
本発明は、インクジェット記録装置用充填液、インクジェット記録用インクセット、インクジェット記録装置及びインクジェット記録装置の保存方法に関する。
【背景技術】
【０００２】
インクジェット記録装置のメンテナンスを目的に、インク等の液体が流れる液体流路に、多価アルコールを含むメンテナンス液（特許文献１）や、シリコン系消泡剤を含むクリーニング液（特許文献２）を充填することが提案されている。
【先行技術文献】
【特許文献】
【０００３】
【特許文献１】特公平６−８４３７号公報
【特許文献２】特開２０００−３２８０９３号公報
【発明の概要】
【発明が解決しようとする課題】
【０００４】
しかしながら、従来のメンテナンス液やクリーニング液は、近年のインクにおける着色剤配合量の増加、顔料の利用拡大の傾向の中で、前記液体流路にインクに含まれる成分が付着したり、前記液体流路でインクが一度蒸発乾固した後の再分散性に劣る等、洗浄性が不充分である場合が多く、結果として、インクジェットヘッドのノズル目詰まり、吐出不良等の問題を引き起こすおそれがある。
【０００５】
そこで、本発明は、液体流路の洗浄性に優れたインクジェット記録装置用充填液を提供することを目的とする。
【課題を解決するための手段】
【０００６】
前記目的を達成するために、本発明のインクジェット記録装置用充填液は、
インクジェット記録装置の液体流路に充填されるインクジェット記録装置用充填液であって、
アルキルエーテル系界面活性剤と、親水性ポリマーとを含み、
前記親水性ポリマーは、酸価が１００ｍｇＫＯＨ／ｇ〜２５０ｍｇＫＯＨ／ｇであることを特徴とする。
【発明の効果】
【０００７】
本発明のインクジェット記録装置用充填液は、アルキルエーテル系界面活性剤と、前記所定の親水性ポリマーとを含むことで、液体流路の洗浄性に優れる。
【図面の簡単な説明】
【０００８】
【図１】図１は、本発明の充填液により、液体流路へのインクに含まれる成分の付着が抑制される推定メカニズムを説明する模式図である。
【図２】図２は、本発明の充填液により、インクの再分散性が向上する推定メカニズムを説明する模式図である。
【図３】図３は、本発明のインクジェット記録装置の一例の構成を示す概略斜視図である。
【発明を実施するための形態】
【０００９】
本発明において、インクジェット記録用インク（以下、「インク」と言うことがある。）の「再分散性」とは、例えば、インクが一度蒸発乾固し、固形物が生じた後、新たにインクと接触した際の前記固形物の溶解性及び分散性を意味する。再分散性が悪いと、例えば、インクジェットヘッドでインクが加熱され、蒸発乾固することで固形物が生じた後に、新たにインクと接触しても前記固形物が溶解及び分散せず、吐出不良の原因となる。
【００１０】
本発明のインクジェット記録装置用充填液（以下、「充填液」と言うことがある。）について説明する。前記充填液は、インクジェット記録装置の液体流路に充填される。前記充填液としては、例えば、保管液、検査液、導入液、出荷液等があげられる。前記保管液は、インクジェット記録装置の保管（例えば、長期間不使用）時に液体流路内に充填される液体である。前記検査液は、工場でインクジェットヘッドの吐出を検査するために使用される液体である。前記導入液は、工場でインクジェットヘッドの吐出を検査するときに検査液が液体流路内に容易に導入されるように事前に導入される液体である。前記出荷液は、工場から出荷される状態のインクジェット記録装置の液体流路に充填されて、前記液体流路内の状態を保つための液体である。
【００１１】
前記充填液は、アルキルエーテル系界面活性剤と、親水性ポリマーとを含む。
【００１２】
前記アルキルエーテル系界面活性剤としては、例えば、ポリオキシエチレンアルキルエーテル、ポリオキシプロピレンアルキルエーテル等のポリオキシアルキレンアルキルエーテル系界面活性剤等があげられる。前記アルキルエーテル系界面活性剤としては、例えば、市販品を用いてもよい。前記市販品としては、例えば、ライオン（株）製の「サンノール（登録商標）ＮＬ１４３０」；花王（株）製の「エマール（登録商標）２０ＣＭ」、「エマール（登録商標）Ｅ−２７Ｅ」、「エマール（登録商標）３２７」、「ラテムル（登録商標）Ｅ−１５０」、「エマルゲン（登録商標）  ４０８」、「エマルゲン（登録商標）  １０５」、「エマルゲン（登録商標）  １５０」、「エマルゲン（登録商標）  ２２０」、「エマルゲン（登録商標）  ３０６Ｐ」、「エマルゲン（登録商標）  ４０４」、「エマルゲン（登録商標）  ４３０」、「エマルゲン（登録商標）  ７０５」；三洋化成工業（株）製の「ビューライト（登録商標）ＮＡ−２５Ｓ」等があげられる。
【００１３】
前記充填液は、前記アルキルエーテル系界面活性剤を含むことで、液体流路にインクに含まれる成分が付着するのを抑制可能である。前記付着抑制のメカニズムは、例えば、つぎのように推定される。近年、インクの記録媒体表面への定着性向上の観点等から、インクへの疎水性ポリマーの添加が一般的となっている。例えば、図１（Ａ）に示すように、インクが、前記アルキルエーテル系界面活性剤を含まない充填液で置換された場合には、顔料分散用樹脂としてインクに添加された疎水性ポリマー４１の疎水部が、顔料４０を巻き込んで、疎水性である液体流路３０に付着する。一方、図１（Ｂ）に示すように、インクが、アルキルエーテル系界面活性剤５０を含む前記充填液で置換された場合には、疎水性ポリマー４１の疎水部をアルキルエーテル系界面活性剤５０が覆うことで、疎水性ポリマー４１及び顔料４０の液体流路３０への付着が抑制される。なお、図１では、インクに添加された疎水性ポリマーが、顔料分散用樹脂である場合を例にとって説明したが、前記疎水性ポリマーが、記録媒体表面に顔料が定着するのを補助する顔料定着用の樹脂（バインダー樹脂）である場合にも、同様のメカニズムで前記付着抑制が達成されると推定される。ただし、このメカニズムは推定に過ぎず、本発明はこれに限定されない。
【００１４】
液体流路へのインクに含まれる成分の付着抑制の観点から、前記アルキルエーテル系界面活性剤は、アニオン性であることが好ましく、ポリオキシエチレンアルキルエーテル硫酸ナトリウムであることがより好ましい。このようなアルキルエーテル系界面活性剤としては、前述の市販品のうち、ライオン（株）製の「サンノール（登録商標）ＮＬ１４３０」；花王（株）製の「エマール（登録商標）２０ＣＭ」、「エマール（登録商標）Ｅ−２７Ｅ」、「エマール（登録商標）３２７」、「ラテムル（登録商標）Ｅ−１５０」；三洋化成工業（株）製の「ビューライト（登録商標）ＮＡ−２５Ｓ」があげられる。
【００１５】
前記アルキルエーテル系界面活性剤は、１種類を単独で用いても、２種類以上を併用してもよい。前記充填液全量における前記アルキルエーテル系界面活性剤の配合量は、例えば、０．２重量％以上、０．５重量％以上、０．８重量％以上である。前記アルキルエーテル系界面活性剤の配合量の上限は、例えば、５重量％以下、３重量％以下、１．５重量％以下である。
【００１６】
前記充填液は、さらに、アルキルエーテル系界面活性剤以外の界面活性剤を含んでもよい。
【００１７】
前記親水性ポリマーは、酸価が１００ｍｇＫＯＨ／ｇ〜２５０ｍｇＫＯＨ／ｇである。また、前記親水性ポリマーの重量平均分子量は、例えば、４０００〜１６５００である。前記酸価及び前記重量平均分子量は、例えば、ＪＩＳＫ００７０及びＪＩＳＫ０１２４に準じて測定可能である。前記親水性ポリマーとしては、例えば、市販品を用いてもよい。前記市販品としては、例えば、ＢＡＳＦ社（旧ジョンソンポリマー（株））製の「ジョンクリル（登録商標）５８６」（酸価１０８ｍｇＫＯＨ／ｇ、重量平均分子量４６００）、「ジョンクリル（登録商標）６１Ｊ」（酸価１９５ｍｇＫＯＨ／ｇ、重量平均分子量１２０００）、「ジョンクリル（登録商標）６２」（酸価２００ｍｇＫＯＨ／ｇ、重量平均分子量８５００）、「ジョンクリル（登録商標）３５４」（酸価２００ｍｇＫＯＨ／ｇ、重量平均分子量８５００）、「ジョンクリル（登録商標）５７」（酸価２１５ｍｇＫＯＨ／ｇ、重量平均分子量４９００）、「ジョンクリル（登録商標）７０」（酸価２４０ｍｇＫＯＨ／ｇ、重量平均分子量１６５００）等があげられる。
【００１８】
前記充填液は、前記親水性ポリマーを含むことで、インクの再分散性を向上可能である。前記再分散性向上のメカニズムは、例えば、つぎのように推定される。例えば、図２（Ａ１）〜（Ａ３）に示すように、インクが、前記親水性ポリマーを含まない充填液で置換された場合、前記インクが一度蒸発乾固し、疎水性ポリマー４１及び顔料４０の固形物が生じると、新たにインクと接触しても、前記固形物は分散しない。一方、図２（Ｂ１）〜（Ｂ３）に示すように、インクが、親水性ポリマー５１を含む前記充填液で置換されると、疎水性ポリマー４１及び顔料４０が、親水性ポリマー５１を巻き込みながら固形物となるため、新たにインクと接触すると、前記固形物は分散する。なお、図２では、インクに添加された疎水性ポリマーが、顔料分散用樹脂である場合を例にとって説明したが、前記疎水性ポリマーが、前記バインダー樹脂である場合にも、同様のメカニズムで前記再分散性向上が達成されると推定される。ただし、このメカニズムは推定に過ぎず、本発明はこれに限定されない。
【００１９】
前記親水性ポリマーの酸価は、１００ｍｇＫＯＨ／ｇ〜２００ｍｇＫＯＨ／ｇであることが好ましい。前記酸価が１００ｍｇＫＯＨ／ｇ以上であることで、前記親水性ポリマーの親水性が充分なものとなり、前記固形物の分散性に優れた充填液を得ることができる。また、前記酸価が２００ｍｇＫＯＨ／ｇ以下であれば、保存安定性により優れた充填液を得ることができる。
【００２０】
前記親水性ポリマーの重量平均分子量は、８０００〜１５０００であることが好ましい。前記重量平均分子量が８０００以上であれば、前記親水性ポリマーの溶解性が適度なものとなり、分散性及び保存安定性により優れた充填液を得ることができる。また、前記重量平均分子量が１５０００以下であれば、充填液の粘度が適度なものとなり、前記親水性ポリマーの分酸性により優れる。
【００２１】
前記親水性ポリマーは、１種類を単独で用いても、２種類以上を併用してもよい。前記充填液全量における前記親水性ポリマーの配合量は、例えば、０．０５％以上、０．１５重量％以上、０．２重量％以上である。前記親水性ポリマーの配合量の上限は、例えば、２重量％以下、１．５重量％以下、０．８重量％以下である。
【００２２】
前記充填液は、さらに、着色剤を含んでもよい。前記充填液が着色剤を含めば、前記充填液が前記液体流路の材料を劣化させるのを抑制可能である。また、前記充填液が前記検査液として用いられる場合、前記充填液が着色剤を含めば、前記充填液を視認しやすく、好ましい。前記充填液に含まれる前記着色剤は、染料又は顔料のいずれであってもよい。また、前記充填液に含まれる着色剤として、顔料及び染料を混合して用いてもよい。
【００２３】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。また、前記染料としては、式（１）で表される染料もあげられる。
【化１】
0006728944.tif 000002
式（１）において、
ｎは、０、１又は２であり、
Ｒ１、Ｒ２及びＲ３は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１、Ｒ２及びＲ３は互いに同一でも異なっていてもよく、
Ｒ４、Ｒ５及びＲ６は、それぞれ、水素原子、置換又は無置換のアルキル基、置換又は無置換のアルケニル基、置換又は無置換のアリール基、置換又は無置換のアラルキル基、置換又は無置換の脂環基、置換又は無置換のヘテロ環基であり、Ｒ４、Ｒ５及びＲ６は互いに同一でも異なっていてもよく、
Ｒ１〜Ｒ６のいずれかが酸基を有する場合、その一部又は全部は、塩型のものであってもよく、
３つのＭは、それぞれ、Ｈ、Ｌｉ、Ｎａ、Ｋ、ＮＨ４、ＮＨ３ＣＨ３、Ｎ（ＣＨ３）４、ＮＨ３Ｃ２Ｈ５、Ｎ（Ｃ２Ｈ５）４、ＮＨ２（Ｃ２Ｈ４ＯＨ）２、ＮＨ３（Ｃ２Ｈ４ＮＨ）５、Ｃ２Ｈ４ＮＨ２のいずれかであり、３つのＭは互いに同一でも異なっていてもよい。
【００２４】
式（１）において、Ｒ１、Ｒ２及びＲ３における置換又は無置換のアルキル基は、好ましくは、総炭素原子数が１〜９のアルキル基である。前記置換又は無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００２５】
式（１）において、Ｒ１、Ｒ２及びＲ３における置換又は無置換のアルコキシ基は、好ましくは、総炭素原子数が１〜９のアルコキシ基である。前記置換又は無置換のアルコキシ基としては、例えば、メトキシ基、イソプロポキシ基、ｎ−ブトキシ基等があげられる。
【００２６】
式（１）において、Ｒ１、Ｒ２及びＲ３におけるハロゲン原子としては、例えば、フッ素原子、塩素原子、臭素原子、ヨウ素原子等があげられる。
【００２７】
式（１）において、Ｒ１、Ｒ２及びＲ３における置換又は無置換のカルバモイル基としては、例えば、カルバモイル基、Ｎ，Ｎ−ジメチルカルバモイル基、フェニルカルバモイル基等があげられる。
【００２８】
式（１）において、Ｒ１、Ｒ２及びＲ３における置換又は無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【００２９】
式（１）において、Ｒ１、Ｒ２及びＲ３における置換又は無置換のアミノ基としては、例えば、Ｎ−メチルアミノ基、カルバモイルアミノ基、Ｎ，Ｎ−ジエチルアミノ基、アセチルアミノ基等があげられる。
【００３０】
式（１）において、Ｒ１、Ｒ２及びＲ３におけるスルホン酸エステル基としては、例えば、フェノキシスルホニル基等があげられる。
【００３１】
式（１）において、Ｒ１、Ｒ２及びＲ３における置換又は無置換のアルキルスルホニル基は、好ましくは、総炭素原子数が１〜９のアルキルスルホニル基である。前記置換又は無置換のアルキルスルホニル基としては、例えば、ヒドロキシスルホニル基等があげられる。
【００３２】
式（１）において、Ｒ１、Ｒ２及びＲ３における置換又は無置換のアリールスルホニル基は、好ましくは、総炭素原子数が６〜１５のアリールスルホニル基である。前記置換又は無置換のアリールスルホニル基としては、例えば、ベンジルスルホニル基等があげられる。
【００３３】
式（１）において、Ｒ１、Ｒ２及びＲ３におけるカルボン酸エステル基としては、例えば、メトキシカルボニル基等があげられる。
【００３４】
式（１）において、Ｒ４、Ｒ５及びＲ６における置換又は無置換のアルキル基は、好ましくは、総炭素原子数が１〜１８のアルキル基である。前記置換又は無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００３５】
式（１）において、Ｒ４、Ｒ５及びＲ６における置換又は無置換のアルケニル基は、好ましくは、総炭素原子数２〜１８のアルケニル基である。前記置換又は無置換のアルケニル基としては、例えば、２−メチル−１−プロペニル基、ビニル基、アリル基等があげられる。
【００３６】
式（１）において、Ｒ４、Ｒ５及びＲ６における置換又は無置換のアリール基としては、例えば、３，４−ジカルボキシフェニル基、４−ブチルフェニル基、４−カルボキシフェニル基等があげられる。前記置換アリール基の置換基としては、例えば、前記置換アルキル基の置換基と同じものがあげられる。
【００３７】
式（１）において、Ｒ４、Ｒ５及びＲ６における置換又は無置換のアラルキル基としては、例えば、ベンジル基、１−カルボキシ−２−フェニル−エチル基、１−カルボキシ−２−ヒドロキシフェニルエチル基、４−カルボキシベンジル基等があげられる。
【００３８】
式（１）において、Ｒ４、Ｒ５及びＲ６における置換又は無置換の脂環基としては、例えば、シクロヘキシル基、４−カルボキシシクロヘキシル基等があげられる。
【００３９】
式（１）において、Ｒ４、Ｒ５及びＲ６における置換又は無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記置換アルキル基の置換基と同じものがあげられる。
【００４０】
式（１）において、Ｒ４、Ｒ５及びＲ６としては、少なくとも一つが１〜４個のカルボキシ基又はスルファモイル基で置換されているアルキル基、アルケニル基、アリール基、脂環基、アラルキル基若しくはヘテロ環基であってもよい。
【００４１】
式（１）において、Ｒ４及びＲ５は、それぞれ、水素原子又は３置換フェニル基であってもよく、Ｒ４及びＲ５は互いに同一でも異なっていてもよい。ここで、前記３置換フェニル基の三つの置換基は、それぞれ、水素原子、ハロゲン原子、水酸基、総炭素原子数が１〜９の置換又は無置換のアルキル基、総炭素原子数が１〜９の置換又は無置換のアルコキシ基、置換又は無置換のカルバモイル基、置換又は無置換のスルファモイル基、置換又は無置換のアミノ基、ニトロ基、スルホン酸エステル基、カルボン酸エステル基であり、前記三つの置換基は、互いに同一でも異なっていてもよい。
【００４２】
式（１）で表される染料の好ましい態様としては、例えば、式（１）において、Ｒ４、Ｒ５及びＲ６の少なくとも一つが、１〜４個のカルボキシ基又はスルファモイル基で置換されているアルキル基、アルケニル基、アリール基、アラルキル基若しくはシクロへキシル基である態様があげられる。
【００４３】
式（１）で表される染料は、その構造中に、スルホ基及びカルボキシ基又はこられの塩を合計で６個以下、好ましくは５個以下、特に好ましくは４個以下有することが好ましい。
【００４４】
式（１）で表される染料の好ましい態様としては、例えば、式（１）において、
ｎは、０であり、
Ｒ１は、カルボキシ基、カルバモイル基、トリフルオロメチル基又はスルファモイル基であり、
Ｒ２、Ｒ３及びＲ５は、それぞれ、水素原子であり、
Ｒ４は、カルボキシ基又はスルファモイル基で置換されてもよいフェニル基又はカルボキシアルキル基であり、
Ｒ６は、水素原子又はアルキル基であり、
Ｒ１〜Ｒ６のいずれかが酸基を有する場合、その一部又は全部は、塩型のものであってもよく、
３つのＭは、それぞれ、Ｈ、Ｌｉ、Ｎａ、Ｋ、ＮＨ４、ＮＨ３ＣＨ３、Ｎ（ＣＨ３）４、ＮＨ３Ｃ２Ｈ５、Ｎ（Ｃ２Ｈ５）４、ＮＨ２（Ｃ２Ｈ４ＯＨ）２、ＮＨ３（Ｃ２Ｈ４ＮＨ）５、Ｃ２Ｈ４ＮＨ２のいずれかである態様があげられる。
【００４５】
式（１）で表される染料の好ましい具体例としては、式（１−１）〜（１−５）で表される化合物があげられる。
【００４６】
【化２】
0006728944.tif 000003
【００４７】
式（１−１）で表される化合物は、式（１）において、
ｎは、０であり、
Ｒ１は、アゾ基に結合するフェニル基の２位に位置するカルボキシ基であり、
Ｒ２、Ｒ３及びＲ５は、それぞれ、水素原子であり、
Ｒ４は、２−カルボキシフェニル基であり、
Ｒ６は、水素原子であり、
Ｍは、ＮＨ４である態様である。
【００４８】
【化３】
0006728944.tif 000004
【００４９】
式（１−２）で表される化合物は、式（１）において、
ｎは、０であり、
Ｒ１は、アゾ基に結合するフェニル基の２位に位置するカルバモイル基であり、
Ｒ２、Ｒ３及びＲ５は、それぞれ、水素原子であり、
Ｒ４は、２−カルボキシフェニル基であり、
Ｒ６は、水素原子であり、
Ｍは、Ｎａである態様である。
【００５０】
【化４】
0006728944.tif 000005
【００５１】
式（１−３）で表される化合物は、式（１）において、
ｎは、０であり、
Ｒ１は、アゾ基に結合するフェニル基の３位に位置するスルファモイル基であり、
Ｒ２、Ｒ３及びＲ５は、それぞれ、水素原子であり、
Ｒ４は、２−スルファモイルフェニル基であり、
Ｒ６は、イソプロピル基であり、
Ｍは、ＮＨ３Ｃ２Ｈ５である態様である。
【００５２】
【化５】
0006728944.tif 000006
【００５３】
式（１−４）で表される化合物は、式（１）において、
ｎは、０であり、
Ｒ１は、アゾ基に結合するフェニル基の２位に位置するトリフルオロメチル基であり、
Ｒ２、Ｒ３及びＲ５は、それぞれ、水素原子であり、
Ｒ４は、１−カルボキシ−２−メチルブチル基であり、
Ｒ６は、メチル基であり、
Ｍは、ＮＨ３ＣＨ３である態様である。
【００５４】
【化６】
0006728944.tif 000007
【００５５】
式（１−５）で表される化合物は、式（１）において、
ｎは、０であり、
Ｒ１は、アゾ基に結合するフェニル基の２位に位置するカルボキシ基であり、
Ｒ２、Ｒ３及びＲ５は、それぞれ、水素原子であり、
Ｒ４は、フェニル基であり、
Ｒ５は、水素原子であり、
Ｍは、ＮＨ４である態様である。
【００５６】
前記顔料は、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７３、７４、７５、７８、８３、９３、９４、９５、９７、９８、１１４、１２８、１２９、１３８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１５０、１６６、１６８、１７５、１７６、１７７、１７８、１８４、１８５、１９０、２０２、２０９、２２１、２２２、２２４及び２３８；Ｃ．Ｉ．ピグメントバイオレット１９及び１９６；Ｃ．Ｉ．ピグメントブルー１、２、３、１５、１５：１、１５：２、１５：３、１５：４、１６、２２及び６０；Ｃ．Ｉ．ピグメントグリーン７及び３６；並びにこれらの顔料の固溶体等があげられる。
【００５７】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」、「ＭＡ１００」及び「＃２６５０」、デグサ社製の「カラーブラックＦＷ２００」等のカーボンブラックがあげられる。前記自己分散型顔料は、例えば、市販品を用いてもよい。前記市販品としては、例えば、キャボット・コーポレーション社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００５８】
前記充填液全量における前記着色剤の配合量は、例えば、０重量％を超えて０．０５重量％以下である。前記着色剤の配合量が０．０５重量％以下の前記充填液は、記録に用いても着色剤が少なすぎて記録内容を判別できないため、実質的にインクではない。
【００５９】
前記充填液に含まれる前記着色剤は、親水基１個当たりの分子量（以下、「単位分子量」と言う。）が３００〜４５０の染料であることが好ましい。このような染料であれば、記録時に、前記液体流路に充填された前記充填液を、前記インクに置換する際に、前記インクの泡立ちが抑制され、前記液体流路への前記インクの導入性により優れる。このような染料としては、例えば、Ｃ．Ｉ．アシッドレッド５２（前記単位分子量３０２）、Ｃ．Ｉ．アシッドレッド２８９（前記単位分子量３４９）、Ｃ．Ｉ．ダイレクトイエロー１３２（前記単位分子量３３５）、Ｃ．Ｉ．アシッドブルー９０（前記単位分子量４２４）等があげられる。
【００６０】
前記充填液は、さらに、水を含んでもよい。前記水は、イオン交換水又は純水であることが好ましい。前記充填液全量における前記水の配合量は、例えば、他の成分の残部としてもよい。
【００６１】
前記充填液は、さらに、水溶性有機溶剤を含んでもよい。前記水溶性有機溶剤としては、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等のグリコールエーテル等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。
【００６２】
前記充填液における前記水溶性有機溶剤の配合量は、例えば、０重量％〜９５重量％、５重量％〜８５重量％、５重量％〜６０重量％である。
【００６３】
前記充填液は、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース等があげられる。
【００６４】
前記充填液は、例えば、前記アルキルエーテル系界面活性剤と、前記親水性ポリマーと、必要に応じて他の添加成分とを、従来公知の方法で均一に混合し、フィルタ等で不溶解物を除去することにより調製できる。
【００６５】
つぎに、本発明のインクジェット記録用インクセットについて説明する。本発明のインクジェット記録用インクセットは、インクジェット記録用インクと、インクジェット記録装置用充填液とを含むインクジェット記録用インクセットであって、前記インクは、着色剤と、疎水性ポリマーとを含み、前記充填液は、本発明のインクジェット記録装置用充填液であることを特徴とする。
【００６６】
前記インクに含まれる着色剤としては、例えば、前述の前記充填液に含まれる着色剤と同様のものを用い得るが、顔料であることが好ましい。前記インク全量における前記顔料の固形分配合量（顔料固形分量）は、特に限定されず、例えば、所望の光学濃度又は彩度等により、適宜決定できる。前記顔料固形分量は、例えば、０．１重量％〜２０重量％、１重量％〜１５重量％、２重量％〜１０重量％である。
【００６７】
前記疎水性ポリマーは、例えば、前記顔料分散用樹脂であってもよいし、前記バインダー樹脂であってもよいし、前記顔料分散用樹脂と前記バインダー樹脂とを兼ねるものであってもよいし、前記顔料分散用樹脂と前記バインダー樹脂の双方であってもよい。前記疎水性ポリマーは、前記インクに含まれる前記着色剤が前記自己分散型顔料である場合には、例えば、前記バインダー樹脂である。
【００６８】
前記疎水性ポリマーとは、例えば、酸価が１００ｍｇＫＯＨ／ｇ未満のポリマーである。前記疎水性ポリマーとしては、例えば、メタクリル酸及びアクリル酸の少なくとも一方をモノマーとして含むもの、アクリル樹脂、スチレンアクリル樹脂、ウレタン樹脂、ポリビニルアルコール樹脂、ポリアクリル酸ナトリウム、アクリル酸／マレイン酸共重合体塩、スチレン／無水マレイン酸共重合体樹脂、酢酸ビニル樹脂、酢酸ビニル／アクリル共重合体樹脂、酢酸ビニル／エチレン共重合体樹脂等があげられる。前記疎水性ポリマーは、自家調製してもよいし、市販品を用いてもよい。前記市販品としては、例えば、ＢＡＳＦ社（旧ジョンソンポリマー（株））製の「ジョンクリル（登録商標）６１１」；ビックケミー社製の「Ｄｉｓｐｅｒｂｙｋ１９０」及び「Ｄｉｓｐｅｒｂｙｋ１９４」；等があげられる。
【００６９】
前記疎水性ポリマーは、１種類を単独で用いてもよいし、２種類以上を併用してもよい。前記インク全量における前記疎水性ポリマーの配合量は、例えば、０．０５重量％〜５重量％、０．３重量％〜３重量％、０．５重量％〜２重量％である。
【００７０】
前記インクは、さらに、水を含んでもよい。前記水は、イオン交換水又は純水であることが好ましい。前記インク全量における前記水の配合量は、例えば、他の成分の残部としてもよい。
【００７１】
前記インクは、さらに、水溶性有機溶剤を含んでもよい。前記水溶性有機溶剤としては、例えば、インクジェットヘッドのノズル先端部におけるインクの乾燥を防止する湿潤剤及び記録媒体上での乾燥速度を調整する浸透剤があげられる。
【００７２】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００７３】
前記インク全量における前記湿潤剤の配合量は、例えば、０重量％〜９５重量％、５重量％〜８０重量％、５重量％〜５０重量％である。
【００７４】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００７５】
前記インク全量における前記浸透剤の配合量は、例えば、０重量％〜２０重量％、０重量％〜１５重量％、１重量％〜６重量％である。
【００７６】
前記インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース等があげられる。
【００７７】
前記インクは、例えば、前記着色剤と、前記疎水性ポリマーと、必要に応じて他の添加成分とを、従来公知の方法で均一に混合し、フィルタ等で不溶解物を除去することにより調製できる。
【００７８】
つぎに、本発明のインクジェット記録装置及びインクジェット記録装置の保存方法について説明する。
【００７９】
本発明のインクジェット記録装置は、液体収容部と、液体吐出ヘッドと、前記液体収容部と前記液体吐出ヘッドとの間に設けられた液体流路と、を含むインクジェット記録装置であって、前記液体流路内に、本発明のインクジェット記録装置用充填液を含む組成物が充填されていることを特徴とする。
【００８０】
本発明のインクジェット記録装置の保存方法は、液体収容部と、液体吐出ヘッドと、前記液体収容部と前記液体吐出ヘッドとの間に設けられた液体流路と、を含むインクジェット記録装置の保存方法であって、本発明のインクジェット記録装置用充填液を、前記液体流路に導入し、前記液体流路内の液体の一部又は全部を置換することを特徴とする。
【００８１】
図３に、本発明のインクジェット記録装置の一例の構成を示す。図示のとおり、このインクジェット記録装置１は、４つのインクカートリッジ（液体収容部）２と、液体吐出ヘッド（インクジェットヘッド）３と、ヘッドユニット４と、キャリッジ５と、駆動ユニット６と、プラテンローラ７と、パージ装置８とを主要な構成要素として含む。本例では、前記充填液は、インクジェット記録装置１とは別に、カートリッジ、ボトル等に収容される。ただし、本発明では、インクジェット記録装置１内部に、前記充填液の収容部を設けてもよい。
【００８２】
４つのインクカートリッジ２は、イエロー、マゼンタ、シアン及びブラックの４色のインクを、それぞれ１色ずつ含む。例えば、前記イエローインク、前記マゼンタインク、前記シアンインク及び前記ブラックインクのうちの少なくとも一つのインクが、本発明のインクジェット記録用インクである。本例では、４つのインクカートリッジ２のセットを示したが、これに代えて、イエローインク収納部、マゼンタインク収納部、シアンインク収納部及びブラックインク収納部を形成するようにその内部が間仕切りされた一体型のインクカートリッジを用いてもよい。前記インクカートリッジの本体としては、例えば、従来公知のものを使用できる。
【００８３】
ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００８４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００８５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図３において、キャップ１８は、インクの乾燥を防止するため、記録が終了するとリセット位置に戻されるインクジェットヘッド３の複数のノズルを覆うものである。
【００８６】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等の液体流路により連結され、４つのインクカートリッジ２の各カートリッジからヘッドユニット４に前記インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００８７】
このインクジェット記録装置１は、例えば、つぎのようにして使用及び保存される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出されるインクにより所定の記録がされる。記録後の記録用紙Ｐは、インクジェット記録装置１から排紙される。インクジェット記録装置１を所定期間以上使用しない時、前記充填液を、前記液体流路に導入し、前記液体流路内のインクの一部又は全部を置換し、その状態で保存する。図３においては、記録用紙Ｐの給紙機構及び排紙機構の図示を省略している。
【００８８】
前記インクの前記充填液への置換方法は、特に制限されない。前記置換方法としては、例えば、前記液体流路への前記インクの供給方法と同様にして、前記液体流路に前記充填液を供給する方法、前記充填液の収容容器に圧力を加える等して前記充填液を加圧して、前記液体流路に前記充填液を供給する方法等があげられる。前記液体流路内に充填されている液体組成物は、前記充填液そのものであってもよいし、前記充填液に、前記液体流路に接続された液体収容部（例えば、インクカートリッジ等）から供給される着色剤等が含まれたものであってもよい。前記液体組成物全量に占める前記着色剤の重量は、例えば、前記液体収容部から供給される前記インクに含まれる着色剤の重量よりも少なくてもよく、例えば、０重量％〜６重量％、０重量％〜２重量％、０重量％〜０．５重量％、０重量％〜０．０５重量％である。
【００８９】
前記インクの前記充填液への置換率は、高いほど好ましく、例えば、体積にして、６０％以上、９０％以上、９５％以上である。また、前記インクの前記充填液への置換後において、前記液体流路内の液体組成物全量に占める前記疎水性ポリマー（Ｏ）の重量と、前記親水性ポリマー（Ｗ）の重量との比は、例えば、Ｏ：Ｗ＝１：０．０５〜０．３、１：０．３〜０．７、１：０．７〜３６である。
【００９０】
図３に示す装置では、シリアル型インクジェットヘッドを採用するが、本発明は、これに限定されない。前記インクジェット記録装置は、ライン型インクジェットヘッドを採用する装置であってもよい。
【実施例】
【００９１】
つぎに、本発明の実施例について比較例と併せて説明する。なお、本発明は、下記の実施例及び比較例により限定及び制限されない。
【００９２】
〔インクの調製〕
Ｃ．Ｉ．ピグメントブルー１５：３  ２０重量％、顔料分散用樹脂（アクリル−アクリル酸エステル共重合体）５．０重量％に、純水を加えて全体を１００重量％とし、撹拌混合して混合物を得た。この混合物を、０．３ｍｍ径ジルコニアビーズを充填したサンドミルに入れ、６時間分散処理を行った。その後、ジルコニアビーズをセパレータにより取り除き、孔径３．０μｍセルロースアセテートフィルタでろ過することにより、表１に示す顔料分散液１を得た。
【００９３】
インク組成（表１）における、顔料分散液１を除く成分を、均一に混合しインク溶媒を得た。つぎに、顔料分散液１に、前記インク溶媒を加え、均一に混合した。その後、得られた混合物を、東洋濾紙（株）製のセルロースアセテートタイプメンブレンフィルタ（孔径３．００μｍ）でろ過することで、表１に示すインクジェット記録用シアンインクを得た。
【００９４】
【表１】
0006728944.tif 000008
【００９５】
［実施例１〜１４及び比較例１〜５］
表２に示す充填液組成成分を、撹拌し、混合した。その後、前記混合物を、東洋濾紙（株）製のセルロースアセテートタイプメンブレンフィルタ（孔径３．００μｍ）でろ過することで、実施例１〜１４及び比較例１〜５のインクジェット記録装置用充填液を得た。なお、表２において、染料（１−１）は、式（１−１）で表される化合物を示す。
【００９６】
実施例１〜１４及び比較例１〜５の充填液について、（ａ）再分散性評価、（ｂ）付着評価、（ｃ）インク導入性評価及び（ｄ）析出性評価を、下記方法により実施した。
【００９７】
（ａ）再分散性評価
液体流路を模したポリプロピレン（ＰＰ）の板に、実施例１〜１４及び比較例１〜５の充填液（Ｆ）と、表１に示すシアンインク（Ｉ）との重量比が、Ｆ：Ｉ＝９５：５の混合液を円状に滴下し、６０℃の環境下で１０日間保管した。前記保管後、前記ＰＰの板に純水を滴下し、下記評価基準により評価した。なお、この再分散性評価の結果が良好であれば、液体流路の洗浄性に優れた充填液であると判断できる。
【００９８】
再分散性評価  評価基準
ＡＡ：純水の滴下後、数秒以内でシアンインクが再分散し、残渣は確認されなかった。
Ａ  ：純水の滴下後、数分以内でシアンインクが再分散し、残渣は確認されなかった。
Ｂ  ：光学顕微鏡（倍率２００倍）を用いた観察において、目視では確認できないレベルの青色の残渣が確認された。
Ｃ  ：目視観察において、青色の残渣が確認された。
【００９９】
（ｂ）付着評価
液体流路を模したＰＰの板に、実施例１〜１４及び比較例１〜５の充填液（Ｆ）と、表１に示すシアンインク（Ｉ）との重量比が、Ｆ：Ｉ＝９５：５の混合液を円状に滴下し、６０℃、相対湿度４０％の環境下で４日間保管した。前記保管後、前記ＰＰの板を純水で洗浄することで、評価サンプルを作製した。前記評価サンプルの前記滴下部の縁を観察することで、下記評価基準により評価した。なお、この付着評価の結果が良好であれば、液体流路の洗浄性に優れた充填液であると判断できる。
【０１００】
付着評価  評価基準
ＡＡ：シアンインクの付着は確認されなかった。
Ａ  ：若干量のシアンインクの付着が確認された。
Ｂ  ：少量のシアンインクの付着が確認された。
Ｃ  ：多量のシアンインクの付着が確認された。
【０１０１】
（ｃ）インク導入性評価
実施例１〜１４及び比較例１〜５の充填液２ｍＬを、開放瓶（口径：２０．２ｍｍ）に採取し、蓋をした。つぎに、蓋をした前記開放瓶を片手に持ち、１５秒間上下に振ることで、評価サンプルを作製した。前記評価サンプルの泡切れ時間を測定し、下記評価基準により評価した。前記泡切れ時間は、泡の消滅により、前記充填液の上面が確認されるまでの時間とした。なお、このインク導入性評価の結果が良好であれば、記録時にインクに置換する際の前記インクの導入性に優れた充填液であると判断できる。
【０１０２】
インク導入性評価  評価基準
Ａ：前記泡切れ時間が、２分以内であった。
Ｂ：前記泡切れ時間が、２分を超えた。
【０１０３】
（ｄ）析出性評価
液体流路を模したポリアセタール（ＰＯＭ）により、６２．５ｍｍ×１２．７ｍｍ×３．２ｍｍの試験片を作製した。前記試験片各７本を、実施例１〜１４及び比較例１〜５の充填液７０ｇに浸漬させ、密閉容器内で６０℃の環境下で２週間保管した。前記保管後の密閉容器を放冷した後、前記充填液を採取し、東洋濾紙（株）製の親水性ポリテトラフルオロエチレン（ＰＴＦＥ）タイプメンブレンフィルター（孔径：０．２μｍ、直径：１５ｍｍ）でろ過した。前記ろ過後の前記フィルターを、光学顕微鏡（倍率２００倍）にて観察することで、析出物の有無を確認し、下記評価基準により評価した。
【０１０４】
析出性評価  評価基準
Ａ：析出物が無かった。
Ｂ：析出物があった。
【０１０５】
実施例１〜１４及び比較例１〜５の充填液の充填液組成及び評価結果を、表２に示す。
【０１０６】
【表２】
0006728944.tif 000009
【０１０７】
表２に示すとおり、実施例１〜１４では、再分散性、付着、インク導入性及び析出性の全ての評価結果が良好であった。
【０１０８】
アルキルエーテル系界面活性剤の配合量を変更した以外は同条件である実施例１〜３において、前記配合量が０．５重量％である実施例２では、前記配合量が０．２重量％である実施例１と比べて、付着の評価結果が優れており、前記配合量が０．８重量％である実施例３では、付着の評価結果がさらに優れていた。
【０１０９】
親水性ポリマーの配合量を変更した以外は同条件である実施例４〜７において、前記配合量が０．１５重量％である実施例５では、前記配合量が０．０５重量％である実施例４と比べて、再分散性の評価結果が優れており、前記配合量が０．２重量％以上である実施例６及び７では、再分散性の評価結果がさらに優れていた。
【０１１０】
前記単位分子量が３００〜４５０である染料を用いた実施例１〜１２では、前記単位分子量が３００未満である染料を用いた実施例１３及び１４と比べて、インク導入性の評価結果が優れていた。
【０１１１】
着色剤を含む実施例１〜１１、１３及び１４では、着色剤を含まない実施例１２と比べて、析出性の評価結果が優れていた。
【０１１２】
一方、親水性ポリマーに代えて疎水性ポリマーを用いた比較例１〜３及び親水性ポリマーを含まない比較例５では、再分散性の評価結果が悪かった。また、アルキルエーテル系界面活性剤を含まない比較例４では、付着の評価結果が悪かった。
【産業上の利用可能性】
【０１１３】
以上のように、本発明の充填液は、液体流路の洗浄性に優れたものである。本発明の充填液の用途は、特に限定されず、各種のインクジェット記録に広く適用可能である。
【符号の説明】
【０１１４】
１          インクジェット記録装置
２          インクカートリッジ（液体収容部）
３          液体吐出ヘッド（インクジェットヘッド）
４          ヘッドユニット
５          キャリッジ
６          駆動ユニット
７          プラテンローラ
８          パージ装置
３０        液体流路
４０        顔料
４１        疎水性ポリマー（顔料分散用樹脂）
５０        アルキルエーテル系界面活性剤
５１        親水性ポリマー
【図１】
0006728944.tif 000010
【図２】
0006728944.tif 000011
【図３】
0006728944.tif 000012